(57)【要約】【課題】  ファイルの配信、収集の度毎に宛先を設定することなくファイルを効率よく且つ安全に配信、収集、共有することが可能なファイル送受信システム及びファイル送受信方法並びにファイル送受信プログラムを提供すること。【解決手段】  サーバ１０はファイルを送信する運用者Ｍ及びファイルを受信するユーザＵを登録する利用者登録部１１を備える。利用者登録部１１はファイルの送信方向を決定するボックスを設定するボックス設定部１２を備える。ボックス設定部１２は運用者からのファイルのアップロード及びユーザからのファイルのダウンロードを受け付ける配信ボックス１３ａを有する。運用者Ｍから配信ボックスにファイルがアップロードされることにより、配信ボックス１３ａはファイルを保存すると共に、ユーザＵにファイルのダウンロードを許可する。ボックス設定部１２は収集ボックス、匿名ボックス、共有ボックスを有しても良い。【選択図】    図２
2008084197.tif 000002
【特許請求の範囲】
【請求項１】
送信者端末と受信者端末とがネットワークを介して接続され、サーバを介してファイルを送受信するファイル送受信システムであって、
前記サーバは配信対象のファイルを送信する送信者となる運用者及び前記ファイルを受信する受信者となるユーザを登録する利用者登録部を備え、
前記利用者登録部はファイルの送信方向を決定する１又は複数のボックスを設定するボックス設定部を備え、
前記ボックス設定部は登録された前記運用者からのファイルのアップロード及び登録された前記ユーザからのファイルのダウンロードを受け付ける配信ボックスを少なくとも有し、
登録された前記運用者の運用者端末から前記配信ボックスにファイルがアップロードされることにより、前記配信ボックスは前記ファイルを保存すると共に、登録された前記ユーザのユーザ端末に前記ファイルのダウンロードを許可することを特徴とするファイル送受信システム。
【請求項２】
送信者端末と受信者端末とがネットワークを介して接続され、サーバを介してファイルを送受信するファイル送受信システムであって、
前記サーバは収集対象のファイルを送信する送信者となるユーザ及び前記ファイルを受信する受信者となる運用者を登録する利用者登録部を備え、
前記利用者登録部はファイルの送信方向を決定する１又は複数のボックスを設定するボックス設定部を備え、
前記ボックス設定部は登録された前記ユーザからのファイルのアップロード及び登録された前記運用者からのファイルのダウンロードを受け付ける収集ボックスを少なくとも有し、
登録された前記ユーザのユーザ端末から前記収集ボックスにファイルがアップロードされることにより、前記収集ボックスは前記ファイルを保存すると共に、登録された前記運用者の運用者端末に前記ファイルのダウンロードを許可することを特徴とするファイル送受信システム。
【請求項３】
送信者端末と受信者端末とがネットワークを介して接続され、サーバを介してファイルを送受信するファイル送受信システムであって、
前記サーバは共有対象のファイルを共有する共有者となるユーザ及び前記ファイルの共有を監視する監視者となる運用者を登録する利用者登録部を備え、
前記利用者登録部はファイルの送信方向を決定する１又は複数のボックスを設定するボックス設定部を備え、
前記ボックス設定部は登録された前記ユーザ間で他のユーザを認識不可の状態でファイルの共有を受け付ける匿名ボックスを少なくとも有し、
登録された前記ユーザのユーザ端末から前記匿名ボックスにファイルがアップロードされることにより、前記匿名ボックスは前記ファイルを保存すると共に、アップロードしたユーザを含む登録された前記ユーザのユーザ端末に他のユーザが認識不可の状態でファイルのダウンロードを許可することを特徴とするファイル送受信システム。
【請求項４】
前記ボックス設定部は登録された前記ユーザ間においてファイルを共有する共有ボックスをさらに備えることを特徴とする請求項１〜３のいずれかに記載のファイル送受信システム。
【請求項５】
前記サーバは登録された前記ユーザが互いに他のユーザを認識不可とするフィルタ部を備えることを特徴とする請求項１〜３のいずれかに記載のファイル送受信システム。
【請求項６】
前記サーバは前記ファイルがアップロードされた旨を登録された前記運用者又はユーザに通知する通知部を備えることを特徴とする請求項１〜３のいずれかに記載のファイル送受信システム。
【請求項７】
前記サーバは前記利用者登録部を複数備えることを特徴とする請求項１〜３のいずれかに記載のファイル送受信システム。
【請求項８】
前記サーバは管理者から前記運用者に対して権限を設定する権限設定部を備え、前記利用者登録部は前記管理者により作成され、１又は複数の前記ボックスは前記運用者により作成されることを特徴とする請求項１〜３のいずれかに記載のファイル送受信システム。
【請求項９】
請求項１に記載のファイル送受信システムを用いたファイル送受信方法であって、
配信対象のファイルを送信する送信者となる運用者及び前記ファイルを受信する受信者となるユーザを登録し、
ファイルの送信方向を決定する１又は複数のボックスを設定するボックス設定部に、登録された前記運用者からのファイルのアップロード及び登録された前記ユーザからのファイルのダウンロードを受け付ける配信ボックスを設け、
登録された前記運用者の運用者端末から前記配信ボックスにファイルがアップロードされることにより、前記配信ボックスは前記ファイルを保存すると共に、登録された前記ユーザのユーザ端末に前記ファイルのダウンロードを許可することを特徴とするファイル送受信方法。
【請求項１０】
請求項２に記載のファイル送受信システムを用いたファイル送受信方法であって、
収集対象のファイルを送信する送信者となるユーザ及び前記ファイルを受信する受信者となる運用者を登録し、
ファイルの送信方向を決定する１又は複数のボックスを設定するボックス設定部に、前記ボックス設定手段は登録された前記ユーザからのファイルのアップロード及び登録された前記運用者からのファイルのダウンロードを受け付ける収集ボックスを設け、
登録された前記ユーザのユーザ端末からファイルがアップロードされることにより、前記収集ボックスは前記ファイルを保存すると共に、登録された前記運用者の運用者端末に前記ファイルのダウンロードを許可することを特徴とするファイル送受信方法。
【請求項１１】
請求項３に記載のファイル送受信システムを用いたファイル送受信方法であって、
共有対象のファイルを共有する共有者となるユーザ及び前記ファイルの共有を監視する監視者となる運用者を登録し、
ファイルの送信方向を決定する１又は複数のボックスを設定するボックス設定部に、登録された前記ユーザ間で他のユーザを認識不可の状態でファイルの共有を受け付ける匿名ボックスを設け、
登録された前記ユーザのユーザ端末から前記匿名ボックスにファイルがアップロードされることにより、前記匿名ボックスは前記ファイルを保存すると共に、アップロードしたユーザを含む登録された前記ユーザのユーザ端末に他のユーザが認識不可の状態でファイルのダウンロードを許可することを特徴とするファイル送受信方法。
【請求項１２】
請求項１に記載のファイル送受信システムにおけるサーバに実行させるファイル送受信プログラムであって、
前記サーバに配信対象のファイルを送信する送信者となる運用者及び前記ファイルを受信する受信者となるユーザを登録し、
ファイルの送信方向を決定する１又は複数のボックスを設定するボックス設定部に、登録された前記運用者からのファイルのアップロード及び登録された前記ユーザからのファイルのダウンロードを受け付ける配信ボックスを設け、
登録された前記運用者の運用者端末から前記配信ボックスにファイルがアップロードされることにより、前記配信ボックスは前記ファイルを保存すると共に、登録された前記ユーザのユーザ端末に前記ファイルのダウンロードを許可するすることを特徴とするファイル送受信プログラム。
【請求項１３】
請求項２に記載のファイル送受信システムにおけるサーバに実行させるファイル送受信プログラムであって、
前記サーバに収集対象のファイルを送信する送信者となるユーザ及び前記ファイルを受信する受信者となる運用者を登録し、
ファイルの送信方向を決定する１又は複数のボックスを設定するボックス設定部に、前記ボックス設定手段は登録された前記ユーザからのファイルのアップロード及び登録された前記運用者からのファイルのダウンロードを受け付ける収集ボックスを設け、
登録された前記ユーザのユーザ端末からファイルがアップロードされることにより、前記収集ボックスは前記ファイルを保存すると共に、登録された前記運用者の運用者端末に前記ファイルのダウンロードを許可するすることを特徴とするファイル送受信プログラム。
【請求項１４】
請求項３に記載のファイル送受信システムにおけるサーバに実行させるファイル送受信プログラムであって、
前記サーバに共有対象のファイルを共有する共有者となるユーザ及び前記ファイルの共有を監視する監視者となる運用者を登録し、
ファイルの送信方向を決定する１又は複数のボックスを設定するボックス設定部に、登録された前記ユーザ間で他のユーザを認識不可の状態でファイルの共有を受け付ける匿名ボックスを設け、
登録された前記ユーザのユーザ端末から前記匿名ボックスにファイルがアップロードされることにより、前記匿名ボックスは前記ファイルを保存すると共に、アップロードしたユーザを含む登録された前記ユーザのユーザ端末に他のユーザが認識不可の状態でファイルのダウンロードを許可することを特徴とするファイル送受信プログラム。
【発明の詳細な説明】
【技術分野】
【０００１】
本発明は、送信者端末と受信者端末とがネットワークを介して接続され、サーバを介してファイルを送受信するファイル送受信システム及びファイル送受信方法並びにファイル送受信プログラムに関する。
【背景技術】
【０００２】
従来、情報受信装置とインターネット等のネットワーク接続環境を有していれば、インターネット等を介して電子メール等の手段を用い、ドキュメント・ファイル、データ・ファイル等（以下、ファイルと略す。）のデータの送信、受信を行うことが可能である。そして、電子メール等では困難であった大容量なファイルの効率的な送受信及びファイル等のデータの安全な送受信を実現するため、例えば、非特許文献１，２に記載のインターネット等を介したファイル転送サービスやユーザ間でのファイル共有サービスが行われている。
【０００３】
図８（ａ）に示すように、非特許文献１に記載のファイル転送サービスでは、サービスに登録された利用者が配信装置１００から受信装置１０１へファイル１０３を送信することにより、任意の相手に対してファイルを受け渡すことが可能である。利用者は、インターネット等を介して、サービスが用意したサーバ１０２へ、宛先を指定した上でファイル１０３を配信装置１００からアップロードする。ファイル１０３がアップロードされると、受信装置１０１に対して通知用メールが送信される。配信相手は通知用メールを介してファイル１０３をダウンロードする。同サービスはインターネット上で提供されていることが多く、手軽に利用できることが特徴である。
【０００４】
また、図８（ｂ）に示すように、非特許文献２に記載のファイル共有サービスでは、サービスに登録された利用者同士でファイルを共有することができる。サービスに登録された各利用者は、サービスが用意したサーバ１１２へファイル１１３をアップロードする。ファイル１１３がアップロードされると、各利用者へ通知用メールが送信され、利用者は利用したいファイル１１３をダウンロードする。
【０００５】
上記転送サービス及び共有サービスでは、宛先の指定などは、いずれも電子メールに準じたものになっている。そのため、大人数、例えば１０００人規模、等を相手にファイル配信を行ったり、大人数からファイル収集を行ったりという作業・業務を現実的に遂行することが困難であった。しかも、このような作業・業務は、企業等や自治体等で行われると考えられるため、取り扱われるファイルは機密情報であることが多い。そのため、情報セキュリティ上、安全な環境および状況において、ファイルが取り扱われなければならならず、セキュリティが脆弱なものとなっていた。さらに、これらのサービスは、利用できるサービスが１個だけである。
【０００６】
また、上記サービスの他に、例えば特許文献１〜３に記載のものが知られている。特許文献１に記載のファイル転送システムでは、提供者側装置が転送対象のファイルの受領者を指定してファイル配信サーバへアップロードし、受領者側端末のファイル書式に変換してダウンロード可能にするものである。しかし、ファイルの転送の度にプロファイルデータを参照し宛先情報を作成して送信している。
【０００７】
特許文献２に記載のコンテンツ配信システムは、サーバのデータ受付部にコンテンツが保存され、電子メールにより配信先に通知している。このシステムにおいても、配信先を宛先ＤＢから参照することができるものの、配信の度にメール配信先を指定する必要がある。
【０００８】
また、特許文献３に記載のファイル収集システムは、ファイル収集依頼者の端末からファイル送信者を特定する送信者特定情報を含むファイル収集依頼情報をファイル収集装置に送信している。この収集システムにおいても、収集依頼者は依頼を行う度にファイル送信者を特定しなければならない。
【０００９】
すなわち、上記いずれの先行技術においても、ファイル配信、収集の度に配信先又は収集先の指定を行わなければならず、作業が煩雑となり、宛先の指定ミスが生じるおそれがあった。また、これらのシステムでは、配信又は収集のみを行うことが可能なシステム構成であって、配信、収集又はファイル共有等、複数のファイル操作を１のシステム構成で実現することが困難であった。
【特許文献１】特開２００２−３７３１３６号
【特許文献２】特開２００４−３５５４６６号
【特許文献３】特開２００６−１３４０７５号
【非特許文献１】http://www.filesend.to/
【非特許文献２】http://www.filebank.co.jp/
【発明の開示】
【発明が解決しようとする課題】
【００１０】
かかる従来の実情に鑑みて、本発明の第一の目的は、ファイルの配信、収集の度毎に宛先を設定することなくファイルを効率よく且つ安全に配信、収集、共有することが可能なファイル送受信システム及びファイル送受信方法並びにファイル送受信プログラムを提供することを目的とする。
【００１１】
また、本発明の第二の目的は、簡素な構成でファイルの配信、収集、共有等のファイル操作を複数サービス行うことの可能なファイル送受信システム及びファイル送受信方法並びにファイル送受信プログラムを提供することである。
【課題を解決するための手段】
【００１２】
上記目的を達成するため、本発明に係るファイル送受信システムの特徴は、送信者端末と受信者端末とがネットワークを介して接続され、サーバを介してファイルを送受信する構成において、前記サーバは配信対象のファイルを送信する送信者となる運用者及び前記ファイルを受信する受信者となるユーザを登録する利用者登録部を備え、前記利用者登録部はファイルの送信方向を決定する１又は複数のボックスを設定するボックス設定部を備え、前記ボックス設定部は登録された前記運用者からのファイルのアップロード及び登録された前記ユーザからのファイルのダウンロードを受け付ける配信ボックスを少なくとも有し、登録された前記運用者の運用者端末から前記配信ボックスにファイルがアップロードされることにより、前記配信ボックスは前記ファイルを保存すると共に、登録された前記ユーザのユーザ端末に前記ファイルのダウンロードを許可することにある。
【００１３】
上記特徴により、利用者登録部に送信者となる運用者及び受信者となるユーザが登録され、その利用者登録部にファイルの送信方向を決定する配信ボックスが設けられるので、送信者はファイルを配信する度に受信者を指定することなく、ファイルをアップロードするだけで安全且つ確実に受信者へファイルを配信することができる。
【００１４】
上記目的を達成するため、本発明に係る他のファイル送受信システムの特徴は、送信者端末と受信者端末とがネットワークを介して接続され、サーバを介してファイルを送受信する構成において、前記サーバは収集対象のファイルを送信する送信者となるユーザ及び前記ファイルを受信する受信者となる運用者を登録する利用者登録部を備え、前記利用者登録部はファイルの送信方向を決定する１又は複数のボックスを設定するボックス設定部を備え、前記ボックス設定部は登録された前記ユーザからのファイルのアップロード及び登録された前記運用者からのファイルのダウンロードを受け付ける収集ボックスを少なくとも有し、登録された前記ユーザのユーザ端末から前記収集ボックスにファイルがアップロードされることにより、前記収集ボックスは前記ファイルを保存すると共に、登録された前記運用者の運用者端末に前記ファイルのダウンロードを許可することにある。
【００１５】
上記特徴により、利用者登録部に送信者となるユーザ及び受信者となる運用者が登録され、その利用者登録部にファイルの送信方向を決定する収集ボックスが設けられるので、送信者はファイルを配信する度に受信者を指定することなく、ファイルをアップロードするだけで安全且つ確実に受信者へファイルを送信することができ、受信者は送信者からファイルを収集することができる。
【００１６】
上記目的を達成するため、本発明に係るさらに他のファイル送受信システムの特徴は、送信者端末と受信者端末とがネットワークを介して接続され、サーバを介してファイルを送受信する構成において、前記サーバは共有対象のファイルを共有する共有者となるユーザ及び前記ファイルの共有を監視する監視者となる運用者を登録する利用者登録部を備え、前記利用者登録部はファイルの送信方向を決定する１又は複数のボックスを設定するボックス設定部を備え、前記ボックス設定部は登録された前記ユーザ間で他のユーザを認識不可の状態でファイルの共有を受け付ける匿名ボックスを少なくとも有し、登録された前記ユーザのユーザ端末から前記匿名ボックスにファイルがアップロードされることにより、前記匿名ボックスは前記ファイルを保存すると共に、アップロードしたユーザを含む登録された前記ユーザのユーザ端末に他のユーザが認識不可の状態でファイルのダウンロードを許可することにある。
【００１７】
上記特徴により、利用者登録部に共有者となるユーザ及び監視者となる運用者が登録され、その利用者登録部にファイルの送信方向を決定する匿名ボックスが設けられるので、共有者はファイルを共有する度に他の共有者を指定することなく、ファイルをアップロードするだけで安全且つ確実に共有者間でファイルを共有することができる。そして、この匿名ボックスは他のユーザが認識不可の状態で共有することができるので、互いに他のユーザを認識することなく共有することができる。
【００１８】
前記ボックス設定部は登録された前記ユーザ間においてファイルを共有する共有ボックスをさらに備えてもよい。また、前記サーバは登録された前記ユーザが互いに他のユーザを認識不可とするフィルタ部を備えることが望ましい。
【００１９】
前記サーバは前記ファイルがアップロードされた旨を登録された前記運用者又はユーザに通知する通知部を備えるようにしてもよい。また、前記サーバは前記利用者登録部を複数備えるようにしてもよい。
【００２０】
前記サーバは管理者から前記運用者に対して権限を設定する権限設定部を備え、前記利用者登録部は前記管理者により作成され、１又は複数の前記ボックスは前記運用者により作成されることが望ましい。
【００２１】
また、上記目的を達成するため、上記に記載のファイル送受信システムを用いたファイル送受信方法の特徴は、配信対象のファイルを送信する送信者となる運用者及び前記ファイルを受信する受信者となるユーザを登録し、ファイルの送信方向を決定する１又は複数のボックスを設定するボックス設定部に、登録された前記運用者からのファイルのアップロード及び登録された前記ユーザからのファイルのダウンロードを受け付ける配信ボックスを設け、登録された前記運用者の運用者端末から前記配信ボックスにファイルがアップロードされることにより、前記配信ボックスは前記ファイルを保存すると共に、登録された前記ユーザのユーザ端末に前記ファイルのダウンロードを許可することにある。
【００２２】
また、上記目的を達成するため、上記に記載のファイル送受信システムを用いた他のファイル送受信方法の特徴は、収集対象のファイルを送信する送信者となるユーザ及び前記ファイルを受信する受信者となる運用者を登録し、ファイルの送信方向を決定する１又は複数のボックスを設定するボックス設定部に、前記ボックス設定手段は登録された前記ユーザからのファイルのアップロード及び登録された前記運用者からのファイルのダウンロードを受け付ける収集ボックスを設け、登録された前記ユーザのユーザ端末からファイルがアップロードされることにより、前記収集ボックスは前記ファイルを保存すると共に、登録された前記運用者の運用者端末に前記ファイルのダウンロードを許可することにある。
【００２３】
また、上記目的を達成するため、上記に記載のファイル配信システムを用いたさらに他のファイル配信方法の特徴は、共有対象のファイルを共有する共有者となるユーザ及び前記ファイルの共有を監視する監視者となる運用者を登録し、ファイルの送信方向を決定する１又は複数のボックスを設定するボックス設定部に、登録された前記ユーザ間で他のユーザを認識不可の状態でファイルの共有を受け付ける匿名ボックスを設け、登録された前記ユーザのユーザ端末から前記匿名ボックスにファイルがアップロードされることにより、前記匿名ボックスは前記ファイルを保存すると共に、アップロードしたユーザを含む登録された前記ユーザのユーザ端末に他のユーザが認識不可の状態でファイルのダウンロードを許可することにある。
【００２４】
また、上記目的を達成するため、上記に記載のファイル送受信システムにおけるサーバに実行させるファイル送受信プログラムの特徴は、前記サーバに配信対象のファイルを送信する送信者となる運用者及び前記ファイルを受信する受信者となるユーザを登録し、ファイルの送信方向を決定する１又は複数のボックスを設定するボックス設定部に、登録された前記運用者からのファイルのアップロード及び登録された前記ユーザからのファイルのダウンロードを受け付ける配信ボックスを設け、登録された前記運用者の運用者端末から前記配信ボックスにファイルがアップロードされることにより、前記配信ボックスは前記ファイルを保存すると共に、登録された前記ユーザのユーザ端末に前記ファイルのダウンロードを許可することにある。
【００２５】
また、上記目的を達成するため、上記に記載のファイル送受信システムにおけるサーバに実行させる他のファイル送受信プログラムの特徴は、前記サーバに収集対象のファイルを送信する送信者となるユーザ及び前記ファイルを受信する受信者となる運用者を登録し、ファイルの送信方向を決定する１又は複数のボックスを設定するボックス設定部に、前記ボックス設定手段は登録された前記ユーザからのファイルのアップロード及び登録された前記運用者からのファイルのダウンロードを受け付ける収集ボックスを設け、登録された前記ユーザのユーザ端末からファイルがアップロードされることにより、前記収集ボックスは前記ファイルを保存すると共に、登録された前記運用者の運用者端末に前記ファイルのダウンロードを許可することにある。
【００２６】
また、上記目的を達成するため、上記に記載のファイル送受信システムにおけるサーバに実行させる他のファイル送受信プログラムの特徴は、前記サーバに共有対象のファイルを共有する共有者となるユーザ及び前記ファイルの共有を監視する監視者となる運用者を登録し、ファイルの送信方向を決定する１又は複数のボックスを設定するボックス設定部に、登録された前記ユーザ間で他のユーザを認識不可の状態でファイルの共有を受け付ける匿名ボックスを設け、登録された前記ユーザのユーザ端末から前記匿名ボックスにファイルがアップロードされることにより、前記匿名ボックスは前記ファイルを保存すると共に、アップロードしたユーザを含む登録された前記ユーザのユーザ端末に他のユーザが認識不可の状態でファイルのダウンロードを許可することにある。
【発明の効果】
【００２７】
上記本発明に係るファイル送受信システム及びファイル送受信方法並びにファイル送受信プログラムの特徴によれば、ファイルの配信、収集の度毎に宛先を設定することなくファイルを効率よく且つ安全に配信、収集、共有することが可能となった。また、簡素な構成でファイルの配信、収集、共有等のファイル操作を複数サービス行うことが可能となった。その結果、ファイルの送受信の誤りを低減させると共に、同送受信の効率を向上させ、ネットワークを通じた作業効率や大容量ファイルの送受信効率を飛躍的に向上させ得るに至った。
【００２８】
本発明の他の目的、構成及び効果については、以下の発明の実施の形態の項から明らかになるであろう。
【発明を実施するための最良の形態】
【００２９】
次に、適宜添付図面を参照しながら、本発明に係るファイル送受信システムについてさらに詳しく説明する。
図１に示すように、本発明に係るファイル送受信システム１は、大略、ファイルを配信、管理等を行う送信者の送信者端末２とよりなる送信者側端末群３と、ファイルの配信等を行うサーバ１０と受信者となる複数のユーザの端末４よりなる受信者側端末群５とがインターネット等のネットワーク６を介して接続されている。
【００３０】
各端末及びサーバ１０は図示省略するＣＰＵ、メモリ及びハードディスク等の記憶装置、データ及びアドレス等のバス並びにマウス、キーボード及びディスプレイ等のインターフェイスを備えている。また、各端末にはＷＥＢブラウザ及びメーラーがインストールされている。
【００３１】
ここで、「送信者」及び「受信者」について説明する。
本実施形態において「送信者」とは、システムに関する全ての権限を有し、全体を管理する管理者Ｃと、権限が一部制限された運用者Ｍを含むものである。また、「受信者」とは、運用者Ｍがアップロードしたファイルのダウンロード等を行う複数のユーザＵをいう。運用者Ｍは管理者Ｃにより権限が設定され、例えば、図２に示すように、権限が設定されたマネージャＭ１，Ｍ２が利用者登録部１１に受信者となるユーザＵを定義する作業、ファイルを配信する作業、ファイルを収集する作業等を行う。なお、管理者Ｃは運用者となるマネージャＭを複数人任命することができる。
【００３２】
システム全体の全て権限を有する管理者を多数人設置するというのは、セキュリティ上好ましくない。しかし、単独の管理者では、実際の運用において、様々な作業・業務が管理者に集中するため、管理者が徐々に増加していく。その結果、セキュリティの安全性が低下してしまう。そのため、管理権限を一部制限して運用面において必要な権限を有した「運用者」となるマネージャを「管理者」が任命することにより、管理者にのみ作業負担が掛かるのを回避できると共に、セキュリティ面における安全性と運用面における利便性を向上させることができる。
【００３３】
図３に示すように、サーバ１０には、利用者登録部１１とボックス設定部１２とフィルタ部１４と通知部１５と権限設定部１６が設けられる。この利用者登録部１１には、ファイルの配信元となるマネージャＭ及び配信先となるユーザＵが登録される。また、利用者登録部１１はその内部に複数のボックス１３ａ〜ｄが設定されるボックス設定部１２を有する。これにより、利用者登録部１１に登録されたマネージャＭ及びユーザＵと各ボックス１３ａ〜ｄが一体となって運用することができ、マネージャＭは配信毎に配信先のユーザＵを指定する必要がなく、配信先の指定ミスも生ずることなく確実に登録されたユーザＵにファイルを配信することが可能となる。ここで、利用者登録部１１への登録は、氏名、メールアドレス、ログイン名、パスワード等のマネージャＭ及びユーザＵを特定する特定情報１７を登録することにより行われる。なお、利用者登録部１１は管理者Ｃにより設定され、また図２の如く利用者登録部１１を複数設けることも可能である。
【００３４】
このように、配信先をユーザＵとして利用者登録部１１に登録することにより、さらに利用者登録部１１を複数個作成できることにより、情報セキュリティ上の安全性および運用における高い利便性を実現すると共に、現実的にファイル配信および後述するファイル収集の作業・業務を行うことが可能となる。
【００３５】
ボックス設定部１２には複数のボックス１３ａ〜ｄが設定可能であり、これらのボックスはファイルのアップロード及びダウンロードを受け付けると共に、アップロードされたファイルを保存する。このボックス１３ａ〜ｄは、「配信」「収集」「共有」「匿名」というファイルの流れの特性に応じて、それぞれの特性に基づきファイルの配信、収集等のファイルの送受信機能を担っている。これらボックス１３ａ〜ｄは運用者となるマネージャＭによって設定される。本実施形態において、配信ボックス１３ａ、収集ボックス１３ｂ、共有ボックス１３ｃ及び匿名ボックス１３ｄが各１個づつ設けられる。
【００３６】
配信ボックス１３ａはファイルの配信機能を有するボックスである。この配信ボックス１３ａに配信対象となるファイルをアップロードすることができるものは、マネージャＭのみであり、この配信ボックス１３ａ内において、利用者登録部１１に登録されたユーザＵのみが保存されたファイルのダウンロードのみ可能である。これにより、マネージャＭからユーザＵへのファイルの送信方向が決定される。そして、利用者登録部１１にはマネージャＭ及びユーザＵが登録されているから、これらにより、マネージャＭは配信するファイルを配信ボックス１３ａにアップロードするだけで、簡単且つ確実に利用者登録部１１に登録したユーザＵにファイルを配信することが可能となる。
【００３７】
収集ボックス１３ｂはファイルの収集機能を有するボックスである。この収集ボックス１３ｂに保存されたファイルをダウンロードできるものは、マネージャＭのみであり、この収集ボックス１３ｂ内において、利用者登録部１１に登録されたユーザＵのみが収集対象となるファイルをアップロードのみ可能である。これにより、ユーザＵからマネージャＭへのファイルの送信方向が決定される。そして、利用者登録部１１にはマネージャＭ及びユーザＵが登録されているから、これらにより、ユーザＵは収集対象となるファイルを収集ボックス１３ｂにアップロードするだけで、簡単且つ確実にマネージャＭへ受け渡すことができ、マネージャＭは登録されたユーザＵから確実にファイルを収集することができる。
【００３８】
この配信ボックス１３ａ及び収集ボックス１３ｂをボックス設定部１２内に併設することにより、利用者登録部１１に登録されたマネージャＭ及びユーザＵ間で配信・収集作業毎に相手先を設定することなく、簡単且つ安全にファイルの配信・収集を行うことができる。さらに、配信ボックス１３ａと収集ボックス１３ｂではファイルの送信方向が異ならせてあるので、配信、収集作業をボックス毎に簡単に管理することができる。
【００３９】
ここで、配信ボックス１３ａによるファイルの配信作業において、マネージャＭ（管理者Ｃ）はファイル送信者となり、ユーザＵはファイル受信者となる。他方、ファイルの収集作業においては、マネージャＭ（管理者Ｃ）は収集対象のファイルを収集する受信者となり、ユーザＵはファイル送信者となる。すなわち、収集ボックス１３ｂによる収集作業の観点から捉えると、マネージャＭ（管理者Ｃ）を受信者側３’、ユーザを送信者側５’と置き換えることができる。
【００４０】
共有ボックス１３ｃは利用者登録部１１に対し登録されたユーザＵ間でファイルを共有する共有機能を有するボックスである。この共有ボックス１３ｃにおいて、利用者登録部１１に登録されたユーザＵは、ファイルのアップロード、ダウンロードが可能であり、これにより、ユーザＵから他のユーザＵへのファイルの送信方向が決定される。そして、利用者登録部１１にはユーザＵが登録されているから、これらにより、ユーザＵはファイルを共有ボックス１３ｃにアップロードするだけで、簡単且つ確実に他のユーザＵへ受け渡すことができる。また、この共有ボックス１３ｃでは、互いに他のユーザを認識可能となっており、他のユーザを認識して、ユーザＵ相互間でファイルの受け渡しを行うこととなる。
【００４１】
また、匿名ボックス１３ｄは利用者登録部１１に登録されたユーザＵ間で匿名の状態でファイルを共有する匿名共有機能を有するボックスである。この匿名ボックス１３ｄでは、共有ボックス１３ｃと同様に、利用者登録部１１に対し登録されたユーザＵは、ファイルのアップロード、ダウンロードが可能であるが、ユーザは他のユーザを認識することができないように設定される。すなわち、この匿名ボックス１３ｄでは、互いに他のユーザを認識することなく、ユーザＵ相互間でファイルの受け渡しを行うこととなる。なお、共有ボックス１３ｃ及び匿名ボックス１３ｄにおいて、マネージャＭ（管理者Ｃ）はファイルの共有を監視するが、ファイルのアップロード、ダウンロード等の操作は制限される。
【００４２】
よって、本実施形態のように、共有ボックス１３ｃ、匿名ボックス１３ｄをボックス設定部１２内に設けた場合、ユーザＵはこれらのボックスにファイルをアップロードすることにより、利用者登録部１１に登録されたユーザＵ間で簡単且つ安全にファイルを共有することができ、さらに匿名ボックス１３ｄによって、ユーザ相互間で他のユーザを認識することなくファイル共有することが可能となる。すなわち、共有ボックス１３ｃ、匿名ボックス１３ｄによるファイル共有の観点から捉えると、ユーザＵは共有者側５’’となり、マネージャＭ（管理者Ｃ）は監視者側３’’として言い換えることができる。
【００４３】
このように、これらのボックス１３ａ〜ｄによって、マネージャＭ及びユーザＵは直感的な操作によってファイルの配信、収集及び共有が可能となり、簡単且つ安全にファイルを利用することが可能である。また、利用者登録部１１にてユーザＵ及びマネージャＭが登録されているため、送信者及び受信者の操作ミスの機会を減少させることができ、各ボックスにファイルのアップロードのみで、安全かつ適切に、配信相手・収集相手、共有相手に対してファイルの配信、収集及び共有等の作業・業務を行うことが可能である。
【００４４】
フィルタ部１４は、各ボックス１３ａ〜ｄにおいて、利用者登録部１１に登録されたユーザＵ間で互いに認識可能とするか否かを設定する。ユーザＵ間で互いに認識できないように設定することにより、配信や収集の際にユーザに対し個別的に配信、送信しているものと認識させることが可能となる。この設定は利用者登録部１１の設定時に管理者Ｃにより行われる。
【００４５】
通知部１５は、上述の各ボックス１３ａ〜ｄにファイルがアップロードされたことを検出して、ユーザＵ又はマネージャＭにその旨をメールに通知する。通知部１５はまず、ファイルが保存されたＵＲＬを抽出してメール本文中に記載すると共に、利用者登録部１１に定義された特定情報１７から送信先を特定して通知用メールを作成し、各ユーザＵ又はマネージャＭへ送信する。通知用メールを受領したユーザＵ又はマネージャＭはそのＵＲＬからボックスにアクセスしてファイルをダウンロードする。
【００４６】
次に、図４を参照しながら、ファイルの配信、収集等の手順について説明する。
まず、管理者Ｃにより初期設定が行われる。初期設定は、まず、管理者Ｃが自らの端末からサーバ１０に利用者登録部１１を設定し、登録するユーザＵにおいて互いに認識可能とするかをフィルタ部１４にて設定する（Ｓ１）。そして、管理者Ｃは実際にファイルを配信、収集等の作業を行う運用者となる単数又は複数人のマネージャＭに対して、マネージャＭに作業に応じた権限を権限設定部１６により設定する（Ｓ２）。
【００４７】
次に、任命されたマネージャＭは、受信者となるユーザＵ及び自らを特定するの特定情報１７を利用者登録部１１に登録し、利用者登録部１１内のボックス設定部１２にファイルの利用態様に応じて適宜ボックスを作成する（Ｓ３）。これにより、マネージャＭ及び／又はユーザＵ間にてファイルの配信、収集等を行うことが可能となる。また、利用者登録部１１にマネージャＭ及びユーザＵをあらかじめ登録することにより、マネージャＭ及びユーザＵはファイルのアップロードの度毎に相手先を設定する必要がなく、ファイルのアップロードのみで確実に配信、収集等を行うことが可能となる。
【００４８】
ファイルの配信を行う場合、マネージャＭは初期設定において配信ボックス１３ａをボックス設定部１２内に作成しておく（Ｓ３）。これにより、マネージャＭは配信作業の度に配信先となるユーザＵを設定することなく、ファイルを配信ボックス１３ａにアップロードするだけで利用者登録部１１に登録されたユーザＵに対してのみ配信することが可能となる。
【００４９】
マネージャＭは配信ボックス１３ａにアクセスし、配信対象となるファイルをアップロードする（Ｓ１０）。配信ボックス１３ａにファイルがアップロードされると、配信ボックス１３ａはアップロードされたファイルを保存する（Ｓ１１）。また、通知部１５はアップロードされたことを検出すると共に、アップロードされた旨をユーザＵに通知する通知用メールを作成する。通知部１５は、まずファイルが保存された配信ボックス１３ａ内のアドレスを抽出すると共に、メール本文に記載する。次に、利用者登録部１１に登録された特定情報１７からアップロードしたマネージャＭを特定し、配信先となるユーザＵの特定情報１７から氏名、メールアドレス等を抽出して宛先を設定し、メールを完成させ、各ユーザＵへ送信する（Ｓ１２）。
【００５０】
そして、メールを受領した受信者は、通知用メールを確認し、メール本文に記載された保存先のＵＲＬにアクセスする（Ｓ１３）。アクセスするとユーザ端末にログイン画面が表示され、ユーザはログイン名、パスワードを入力し、ファイルが保存された配信フォルダにアクセスし、保存されたファイルをダウンロードする（Ｓ１４）。これにより、安全且つ確実に配信先のユーザＵへファイルを配信することができる。なお、フィルタ部１４が他のユーザが認識できないよう設定されている場合、ダウンロードするユーザは他のユーザを認識することができず、各ユーザにおいて、マネージャから個別的にファイルが配信されたものと認識させることができる。
【００５１】
また、ファイルの収集を行う場合、マネージャＭは初期設定において収集ボックス１３ｂをボックス設定部１２内に作成しておく（Ｓ３）。これにより、ユーザＵは収集作業の度に収集先となるマネージャＭを設定することなく、ファイルを収集ボックス１３ｂにアップロードするだけで利用者登録部１１に登録されたマネージャＭに対してのみファイルを送信することが可能となる。
【００５２】
ユーザＵは収集ボックス１３ｂにアクセスし、収集対象となるファイルをアップロードする（Ｓ１０）。収集ボックス１３ｂにファイルがアップロードされると、収集ボックス１３ｂはファイルを保存する（Ｓ１１）。そして、通知部１５はアップロードされたことを検出すると共に、アップロードされた旨をマネージャＭに通知する通知用メールを作成する。通知部１５は、まずファイルが保存された収集ボックス１３ｂ内のアドレスを抽出すると共に、メール本文に記載する。次に、ファイルをアップロードしたユーザを利用者登録部１１に登録したユーザＵの特定情報１７から特定し、利用者登録部１１に定義された送信先（収集先）となるマネージャＭを宛先を設定し、メールを完成させ、マネージャＭへ送信する（Ｓ１２）。なお、フィルタ部１４が他のユーザが認識できないよう設定されている場合、アップロードするユーザは他のユーザを認識することができず、各ユーザにおいて、マネージャへ個別的にファイルを送信したものと認識させることができる。
【００５３】
そして、マネージャＭは収集ボックス１３ｂにアクセスし（Ｓ１３）、保存されたファイルをダウンロードする（Ｓ１４）。収集ボックス１３ｂにおいて、アップロードは利用者登録部１１に登録されたユーザＵのみが可能であるため、マネージャＭはユーザＵから確実にファイルを収集することができる。
【００５４】
また、ファイル共有を行う場合、マネージャは初期設定において共有ボックス１３ｃ及び／又は匿名ボックス１３ｄをボックス設定部１２内に作成しておく（Ｓ３）。これにより、利用者登録部１１に登録されたユーザＵは共有するファイルをアップロードするだけで他のユーザとの間でファイルの共有を行うことができる。特に、匿名ボックスにおいては、ユーザ相互間で他のユーザを認識することなくファイルの共有を行うことができる。
【００５５】
あるユーザが共有ボックス１３ｃ又は匿名ボックス１３ｄにアクセスし、ファイルをアップロードする（Ｓ１０）と、共有ボックス１３ｃ又は匿名ボックス１３ｄはファイルを保存する（Ｓ１１）。そして、通知部１５がアップロードされ保存されたことを検出すると共に、アップロードされた旨をユーザＵに通知する通知用メールを作成する。通知部１５は、まずファイルが保存された共有ボックス１３ｃ又は匿名ボックス１３ｄ内のアドレスを抽出すると共に、メール本文に記載する。次に、利用者登録部１１に登録されたユーザＵの特定情報１７からアップロードしたユーザを特定し、またユーザＵの特定情報１７から氏名、メールアドレス等を抽出して宛先を設定し、メールを完成させ、各ユーザＵへ送信する（Ｓ１２）。ただし、匿名ボックス１３ｄにファイルがアップロードされた場合、アップロードしたユーザ及びダウンロードするユーザは他のユーザを認識することができない。
【００５６】
そして、メールを受領した受信者は、通知用メールを確認し、メール本文に記載された保存先のＵＲＬにアクセスする（Ｓ１３）。そして上記と同様にログインし、共有ボックス１３ｃ又は匿名ボックス１３ｄにアクセスし、保存されたファイルをダウンロード、ファイル変更等を行う（Ｓ１４）。これにより、登録したユーザ間でファイル共有することができる。
【００５７】
次に、図５を参照しながら、本発明の第一実施例として、配信ボックスによる複数の報道機関へのプレスリリース等の新規情報の配信システムについて説明する。
【００５８】
本実施例において、情報提供者３１が送信者となる「管理者」の役割を担い、各報道機関３３ａ〜ｄは「受信者」となるユーザの立場となる。まず、管理者となる情報提供者３１は利用者登録部となるサービス３０を作成する。サービス３０を作成した管理者は、そのサービスにおいて実際にファイルを配信する運用者となるマネージャ３２ａ，ｂに対し権限を設定する。
【００５９】
また、本実施例において、サービス３０は登録されるユーザが認識できないように設定する。本実施例のように、報道機関へのプレスリリースは、提供情報の機密性が高い場合が多いため、各報道機関の相互認識を不可能にすることが好ましいからである。そのため、サービス３０内にどのようなユーザ（報道機関）が登録されているのか、報道機関３３ａ〜ｄは互いに認識することができないようにフィルタ部を設定する。
【００６０】
日常の運用は、マネージャ３２ａ，ｂが行う。マネージャ３２ａ又はマネージャ３２ｂは各報道機関３３ａ〜ｄをサービス３０に登録する。さらに、マネージャ３２ａは配信ボックス３４ａを作成し、マネージャ３２ｂは配信ボックス３４ａを作成する。
【００６１】
そして、マネージャ３４ａがプレスリリース用のファイル３５ａを配信ボックス３４ａへアップロードすると、各報道機関３３ａ〜ｄへ通知用メールが送信される。各報道機関３３ａ〜ｄは通知用メール本文に記載されているＵＲＬをクリックし、配信ボックス３４ａへアクセスして、ファイル３５ａをダウンロードする。
【００６２】
なお、通知用メールを経由することなく、直接配信ボックス３４ａへアクセスし、ファイル３５ａをダウンロードすることも可能である。また、情報の提供期間は適宜設定することが可能であり、その期間中は、自由にプレスリリース用のファイルのダウンロード、閲覧が可能である。
【００６３】
また、マネージャ３２ｂがプレスリリース用のファイル３５ｂを配信ボックス３４ｂへアップロードすると、各報道機関３３ａ〜ｄへ通知用メールが送信される。各報道機関３３ａ〜ｄは上記と同様に、配信ボックス３４ｂへアクセスして、ファイル３５ｂをダウンロードする。なお、マネージャ３２ａ，ｂは互いに他のマネージャが作成した配信ボックスを利用することも可能である。
【００６４】
以上のように、配信ボックスを利用し、ファイルの流れが一方向であるにもかかわらず、複数のマネージャの設置により、報道機関側からの視点に立てば、複数のファイル配信元からの情報収集であるとも考えられる。すなわち、ある報道機関を管理者（運用者）とし、情報提供者をユーザとして登録することで、新規情報の収集システムとすることができる。また、配信ボックス１種類の利用であっても、管理者とマネージャの分離、マネージャの複数化により、ファイル流通の相互性が生まれる。
【００６５】
次に、図６を参照しながら、本発明の第二実施例として、配信ボックス及び収集ボックスを組み合わせることによるオンライン販売システムについて説明する。
【００６６】
本実施例において、ショッピングモール運営会社が管理者４１であり、この管理者４１が利用者登録部となるサービス４０を作成する。そして、管理者４１はサービス４０を実際に運営する者として、会計担当者、ショッピングモール運営者１及びショッピングモール運営者２に対し権限を設定し、これらの者がサービス４０を運用するマネージャ４２ａ〜ｃとなる。このマネージャ４２ａ〜ｃのいずれかは、サービス４０のユーザとして、Ａ社及びＢ社の複数の社員を登録する。これら社員は後述する注文ファイルを送信する場合には「送信者」となり、商品リストを受け取る場合は「受信者」となる。
【００６７】
図６（ａ）に示すように、マネージャ４２ｂとなるショッピングモール運営者１は、ショッピングモール１として配信ボックス４４ａを設置し、配信ボックス４４ａに商品リスト４６ａをアップロードする。また、マネージャ４２ｃとなるショッピングモール運営者２は、ショッピングモール２として配信ボックス４４ｂを設置し、配信ボックス４４ｂに商品リスト４６ｂをアップロードする。サービス４０のユーザであるＡ社、Ｂ社の各社員には、商品リスト４４ａ，ｂが加えられたことが通知用メールによって通知される。
【００６８】
Ａ社のイ氏（購入者）は、ショッピングモール４４ａからの通知用メール本文に記載されたＵＲＬをクリックし、ショッピングモール４４ａにアクセスする。そして、商品リスト４６ａをダウンロードし、閲覧する。そして、イ氏４３ａは商品リスト４６ａ内の「商品あ」を購入することにした。
【００６９】
図６（ｂ）に示すように、イ氏４３ａは注文ファイル４７ａを作成し、受注／発注ボックス１となる収集ボックス４５ａにアップロードすることにより商品の発注を行う。ショッピングモール運営者４２ｂは受注／発注ボックス１から注文ファイル４７ａをダウンロードし、イ氏の注文を受注することとなる。同時に会計担当者となるマネージャ４２ａも注文ファイル４７ａをダウンロードし、イ氏の注文を受注する。会計担当者４２ａは会計処理を行い、ショッピングモール運営者４２ｂはイ氏に対して「商品あ」を発送する。
【００７０】
また、Ｂ社のロ氏（購入者）は、直接、ショッピングモール４４ａ，ｂへアクセスし、商品ファイル４６ａ，ｂをダウンロードして、閲覧した。ロ氏は商品リスト４６ａからは「商品あ」を、商品リスト４６ｂからは「商品い」を購入することにした。ロ氏は注文ファイル４７ｂ，ｃを作成し、注文ファイル４７ｂを受注／発注ボックス４５ａへ、注文ファイル４７ｃを受注／発注ボックス４５ｂそれぞれアップロードすることにより商品の発注を行った。
【００７１】
図６（ｂ）に示すように、ショッピングモール運営者４２ｂは受注／発注ボックス４５ａから注文ファイル４７ｂをダウンロードし、ロ氏の注文を受注する。また、ショッピングモール運営者４２ｃは受注／発注ボックス４５ｂから注文ファイル４７ｃをダウンロードし、ロ氏の注文を受注する。同時に会計担当者４２ａも注文ファイル４７ｂ，ｃをダウンロードし、ロ氏の注文を受注する。会計担当者４２ａは会計処理を行い、ショッピングモール運営者４２ｂはロ氏に対して「商品あ」を発送、ショッピングモール運営者４２ｃはロ氏に対して「商品い」を発送する。
【００７２】
本実施例において、管理者となるショッピングモール運営会社４１はサービス４０を作成した。しかし、ショッピングモール運営者毎にサービスを作成して管理するようにしてもよい。また、配信ボックスとなるショッピングモールが入っているサービスを複数用意して運営するようにしてもよい。さらに、マネージャとなるショッピングモール運営者は、商品毎に配信ボックスや収集ボックスを作成してもよい。
【００７３】
このように、顧客との双方向的なファイルのやりとりが必要なオンライン販売システムにおいて、配信ボックス及び収集ボックスを設け、この双方向のファイルの流れを「配信」と「収集」に分けることにより、顧客の分類および管理が容易となると共に、双方向にわたるファイルが混ざり合うことがなく、作業が混乱する恐れも少なくすることができる。
【００７４】
次に、図７を参照しながら、本発明の第三実施例として、匿名ボックスによる匿名投稿による絵画作品の品評システムについて説明する。
【００７５】
匿名ボックスとは、匿名ユーザ間でファイルを共有するためのボックスである。匿名ボックスにアップロードされたファイル名やファイル内容を参照することはできるが、誰がそのファイルをアップロードしたのか、ユーザからはわからないようになっている。
【００７６】
匿名ボックスでファイルをアップロードしたり、ダウンロードしたり、といった利用ができるのはユーザだけであり、マネージャはボックスやユーザを管理する役割のみに制限されている。サービス内のボックスを自由に閲覧できてしまうマネージャが、匿名ボックスにおいて自由にファイルをアップロードできたり、ダウンロードできたりしてしまうと、同ボックスにおけるユーザ間の共有性およびセキュリティ上の安全性が失われてしまうからである。
【００７７】
本実施例では、例えば、絵画教室の主催者５１が管理者であり、教室講師５２が実際の運用者となるマネージャであり、絵画教室の受講生５３ａ〜ｄがユーザとなる。
【００７８】
絵画教室の主催者５１（管理者）は利用者登録部となるサービス５０を作成し、サービス５０の運用者として教室講師５２（マネージャ）を任命する。マネージャ５２はサービス５０に受講生５３ａ〜ｄ（ユーザ）を登録し、匿名ボックス５４を作成する。その際、受講生５３ａ〜ｄは、匿名ユーザになる。
【００７９】
教室講師５２は、サービス５０および匿名ボックス５４を管理するだけで、ファイルのアップロードやダウンロードは受講生５３ａ〜ｄが行う。例えば、受講生５３ａがファイル５５ａ（絵画データ、ファイル）を匿名ボックス５４にアップロードすると、参加している受講生５３ａ〜ｄ全員に通知用メールが送信される。各受講生５３ａ〜ｄは通知用メール本文のＵＲＬ経由で匿名ボックス５４にアクセスし、匿名ボックス５４からファイル５５ａをダウンロードする。あるいは、直接、匿名ボックス５４にアクセスし、匿名ボックス５４からファイル５５ａをダウンロードすることもできる。よって、電子メール通知時だけなく、ファイル保存期間中は随時ファイルを参照することが可能である。
【００８０】
ダウンロードされたファイル５５ａは各受講生５３ａ〜ｄによって閲覧されるが、例えば、受講生５３ｂはファイル５５ａに修正を加え、作品に対するコメントと共にファイル５５ｂとして匿名ボックス５４へアップロードすることができる。受講生５３ａ，ｂによりアップロードされたファイル５５ａ，ｂは、各受講生５３ａ〜ｄによりダウンロードされるが、各受講生５３ａ〜ｄは各ファイル５５ａ，ｂが受講生５３ａ，ｂによりアップロードされたかを認識することができない。これにより、各受講生５３ａ〜ｄは他の受講生５３ａ〜ｄに認識されることなくファイル５５ａ〜ｆをアップロードすることができる。
【００８１】
以上のように、匿名ボックスを利用することにより、完成した作品だけでなく、試作品やアイデア作品など参加者のインスピレーションをかきたてるような作品を投稿でき、匿名による自由な投稿が可能となる。なお、本実施例では教室講師は管理のみ行っているが、自らをユーザとしてサービスに登録すれば、匿名ボックスに投稿することができる。
【００８２】
最後に本発明に係るファイル送受信システムのさらに他の実施形態の可能性について言及する。
上記実施形態において、ネットワーク上にサーバを設けた。しかし、サーバはネットワーク上に設置する場合に限られず、送信者側端末に設置しても構わない。
【００８３】
また、上記実施形態において、利用者登録部１１内のボックス設定部１２に、配信ボックス１３ａ、収集ボックス１３ｂ、共有ボックス１３ｃ及び匿名ボックス１３ｄが各１個づつ設けた。しかし、ボックスの数及び組み合わせは適宜変更することができ、ファイルの利用目的に応じて適宜作成すればよい。
【００８４】
上記実施形態において、通知用メールによりアップロードされた旨を通知していた。しかし、メールに限られず、例えばＩＰアドレスが割り当てられている場合にはそのアドレスにアップロードされた旨を通知するようにしてもよい。
【００８５】
なお、上記実施形態において、各端末にパソコンを用いるものについて説明したが、携帯電話等の携帯端末であってもよい。
【産業上の利用可能性】
【００８６】
本発明は、ファイルの配信、収集のみに限られず、配信、収集、共有といった様々なファイルの送受信を行う送受信システムとして利用することができる。また、上記各実施例に示した、新規情報の配信システム、オンライン販売システム及び絵画作品の品評システムの他に、試験等の添削システム、電子投票システム、電子入札システム等のファイルの送受信を行う様々なシステムに上記ボックスを適宜組み合わせることで利用することができる。
【図面の簡単な説明】
【００８７】
【図１】本発明に係るファイル送受信システムの構成図である。
【図２】管理者、運用者の役割を示す説明図である。
【図３】サーバの構成図である。
【図４】（ａ）は初期設定手順を示すフローチャートであり、（ｂ）は配信等の手順を示すフローチャートである。
【図５】本発明に係る第一実施例を示す説明図である。
【図６】本発明に係る第二実施例を示す説明図であり、（ａ）は商品閲覧過程を示す説明図、（ｂ）は受注／発注過程を示す説明図である。
【図７】本発明に係る第三実施例を示す説明図である。
【図８】（ａ）は従来のファイル転送サービスを示す説明図であり、（ｂ）は従来のファイル共有サービスを示す説明図である。
【符号の説明】
【００８８】
１：ファイル送受信システム、２：運用者・管理者（送信者）端末、３：運用者・管理者（送信者）端末群、３’：運用者・管理者（受信者）端末群、３’’：運用者・管理者（監視者）端末群、４：ユーザ（受信者）端末、５：ユーザ（受信者）端末群、５’：ユーザ（送信者）端末群、５’’：ユーザ（共有者）端末群、６：ネットワーク、１０：サーバ、１１：利用者登録部、１２：ボックス設定部、１３：ボックス、１３ａ：配信ボックス、１３ｂ：収集ボックス、１３ｃ：共有ボックス、１３ｄ：匿名ボックス、１４：フィルタ部、１５：通知部、１６：権限設定部、１７：特定情報、３０：利用者登録部（サービス）、３１：情報提供者（管理者）、３２ａ，ｂ：マネージャ、３３ａ〜ｄ：報道機関（ユーザ）、３４ａ，ｂ：配信ボックス、３５ａ，ｂ：ファイル、４０：利用者登録部（サービス）、４１：ショッピングモール運営会社（管理者）、４２ａ，ｂ：ショッピングモール運営者（マネージャ）、４２ｃ：会計担当者（マネージャ）、４３ａ，ｂ：購入者（ユーザ）、４４ａ，ｂ：ショッピングモール（配信ボックス）、４５ａ，ｂ：受注／発注ボックス（収集ボックス）、４６ａ，ｂ：商品リスト、４７ａ〜ｃ：注文ファイル、５０：利用者登録部（サービス）、５１：絵画教室主催者（管理者）、５２：絵画教師（マネージャ）、５３ａ〜ｄ：受講生（匿名ユーザ）、５４：匿名ボックス、５５ａ〜ｆ：ファイル、１００：配信装置、１０１：受信装置、１０２：サーバ、１０３：ファイル、１１０：配信装置、１１１：受信装置、１１２：サーバ、１１３ａ，ｂ，ｎ：ファイル、Ｃ：管理者、Ｍ：運用者（マネージャ）、Ｕ：ユーザ
【図１】
2008084197.tif 000003
【図２】
2008084197.tif 000004
【図３】
2008084197.tif 000005
【図４】
2008084197.tif 000006
【図５】
2008084197.tif 000007
【図６】
2008084197.tif 000008
【図７】
2008084197.tif 000009
【図８】
2008084197.tif 000010